【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
光ディスクに向けて発射された第１の光ビームの一部分から第２のビームを分割生成するビーム分割生成手段と、
上記第１の光ビームの上記光ディスクにおける反射光に基づいて上記第１の光ビームのフォーカスエラー情報を生成すると共に、上記第２の光ビームの上記光ディスクにおける反射光に基づいて上記第２の光ビームのフォーカスエラー情報を生成するフォーカスエラー情報生成手段と、
上記第１の光ビームのフォーカスエラー情報と上記第２の光ビームのフォーカスエラー情報とに基づいて、上記第１の光ビームに発生した球面収差を検出する球面収差検出手段と
を具えることを特徴とする球面収差検出装置。
【請求項２】
上記ビーム分割生成手段は、グレーティングである
ことを特徴とする請求項１に記載の球面収差検出装置。
【請求項３】
上記グレーティングは、
入射する上記第１の光ビームの０次光を発生させる第１の領域と、
上記第２の光ビームとして、上記第１の光ビームの上記一部分から１次光又は−１次光を発生させる第２の領域とを具える
ことを特徴とする請求項２に記載の球面収差検出装置。
【請求項４】
上記グレーティングの上記第１の領域は、
上記第１の光ビームのｎ（ｎは０以外の整数）次光を、上記光ディスクに入射しないように発生させる
ことを特徴とする請求項３に記載の球面収差検出装置。
【請求項５】
光ディスクに向けて発射された第１の光ビームの一部分から第２のビームを分割生成する第１のステップと、
上記第１の光ビームの上記光ディスクにおける反射光に基づいて上記第１の光ビームのフォーカスエラー情報を生成すると共に、上記第２の光ビームの上記光ディスクにおける反射光に基づいて上記第２の光ビームのフォーカスエラー情報を生成する第２のステップと、
上記第１の光ビームのフォーカスエラー情報と上記第２の光ビームのフォーカスエラー情報とに基づいて、上記第１の光ビームに発生した上記球面収差を検出する第３のステップと
を具えることを特徴とする球面収差検出方法。
【請求項６】
光ディスクに向けて発射された第１の光ビームの一部分から第２のビームを分割生成するビーム分割生成手段と、
上記第１の光ビームの上記光ディスクにおける反射光に基づいて上記第１の光ビームのフォーカスエラー情報を生成すると共に、上記第２の光ビームの上記光ディスクにおける反射光に基づいて上記第２の光ビームのフォーカスエラー情報を生成するフォーカスエラー情報生成手段と、
上記第１の光ビームのフォーカスエラー情報と上記第２の光ビームのフォーカスエラー情報とに基づいて、上記第１の光ビームに発生した球面収差を検出する球面収差検出手段と、
上記第１の光ビームに発生した上記球面収差をなくすような球面収差を、所定の制御手段の制御に基づき上記第１の光ビームに発生させる球面収差発生手段と
を具えることを特徴とする光ピックアップ。
【請求項７】
光ディスクに向けて発射された第１の光ビームの一部分から第２のビームを分割生成するビーム分割生成手段と、
上記第１の光ビームの上記光ディスクにおける反射光に基づいて上記第１の光ビームのフォーカスエラー情報を生成すると共に、上記第２の光ビームの上記光ディスクにおける反射光に基づいて上記第２の光ビームのフォーカスエラー情報を生成するフォーカスエラー情報生成手段と、
上記第１の光ビームのフォーカスエラー情報と上記第２の光ビームのフォーカスエラー情報とに基づいて、上記第１の光ビームに発生した上記球面収差を検出する球面収差検出手段と、
上記第１の光ビームに、収差量を調整自在に球面収差を発生させる球面収差発生手段と、
上記球面収差検出手段の検出結果に基づいて、上記第１の光ビームに発生した上記球面収差をなくすように、上記球面収差発生手段により上記第１の光ビームに上記球面収差を発生させる制御手段と
を具えることを特徴とする光ディスク装置。
【手続補正２】
【補正対象書類名】明細書
【補正対象項目名】発明の名称
【補正方法】変更
【補正の内容】
【発明の名称】球面収差検出装置及び方法、光ピックアップ並びに光ディスク装置
【手続補正３】
【補正対象書類名】明細書
【補正対象項目名】０００１
【補正方法】変更
【補正の内容】
【０００１】
本発明は、球面収差検出装置及び方法、光ピックアップ並びに光ディスク装置に関し、例えば光ディスク装置に適用して好適なものである。
【手続補正４】
【補正対象書類名】明細書
【補正対象項目名】００１４
【補正方法】変更
【補正の内容】
【００１４】
本発明は以上の点を考慮してなされたもので、高品質の再生出力を得ながら、より一層と精度良く球面収差補正を行い得る球面収差検出装置及び方法、光ピックアップ並びに光ディスク装置を提案しようとするものである。
【手続補正５】
【補正対象書類名】明細書
【補正対象項目名】００１９
【補正方法】変更
【補正の内容】
【００１９】
さらに本発明によれば、光ピックアップにおいて、光ディスクに向けて発射された第１の光ビームの一部分から第２のビームを分割生成するビーム分割生成手段と、第１の光ビームの光ディスクにおける反射光に基づいて第１の光ビームのフォーカスエラー情報を生成すると共に、第２の光ビームの光ディスクにおける反射光に基づいて第２の光ビームのフォーカスエラー情報を生成するフォーカスエラー情報生成手段と、第１の光ビームのフォーカスエラー情報と第２の光ビームのフォーカスエラー情報とに基づいて、第１の光ビームに発生した球面収差を検出する球面収差検出手段と、第１の光ビームに発生した球面収差をなくすような球面収差を、所定の制御手段の制御に基づき第１の光ビームに発生させる球面収差発生手段とを設けるようにした。
この結果、この光ピックアップでは、第１の光ビームの光ディスクにおける反射光に基づいてＳ／Ｎの高い受光出力を得ることができるため、この受光出力に基づいてＳ／Ｎの高い再生出力を得ることや、精度の良い球面収差補正を行うことができる。
さらに本発明によれば、光ディスク装置において、光ディスクに向けて発射された第１の光ビームの一部分から第２のビームを分割生成するビーム分割生成手段と、第１の光ビームの光ディスクにおける反射光に基づいて第１の光ビームのフォーカスエラー情報を生成すると共に、第２の光ビームの光ディスクにおける反射光に基づいて第２の光ビームのフォーカスエラー情報を生成するフォーカスエラー情報生成手段と、第１の光ビームのフォーカスエラー情報と第２の光ビームのフォーカスエラー情報とに基づいて、第１の光ビームに発生した球面収差を検出する球面収差検出手段と、第１の光ビームに、収差量を調整自在に球面収差を発生させる球面収差発生手段と、球面収差検出手段の検出結果に基づいて、第１の光ビームに発生した球面収差をなくすように、球面収差発生手段により第１の光ビームに球面収差を発生させる制御手段とを設けるようにした。
【手続補正６】
【補正対象書類名】明細書
【補正対象項目名】００２０
【補正方法】変更
【補正の内容】
【００２０】
この結果、この光ディスク装置では、第１の光ビームの光ディスクにおける反射光に基づいてＳ／Ｎの高い受光出力を得ることができるため、この受光出力に基づいてＳ／Ｎの高い再生出力を得ることや、精度の良い球面収差補正を行うことができる。
【手続補正７】
【補正対象書類名】明細書
【補正対象項目名】００２２
【補正方法】変更
【補正の内容】
【００２２】
また本発明によれば、光ピックアップにおいて、光ディスクに向けて発射された第１の光ビームの一部分から第２のビームを分割生成するビーム分割生成手段と、第１の光ビームの光ディスクにおける反射光に基づいて第１の光ビームのフォーカスエラー情報を生成すると共に、第２の光ビームの光ディスクにおける反射光に基づいて第２の光ビームのフォーカスエラー情報を生成するフォーカスエラー情報生成手段と、第１の光ビームのフォーカスエラー情報と第２の光ビームのフォーカスエラー情報とに基づいて、第１の光ビームに発生した球面収差を検出する球面収差検出手段と、第１の光ビームに発生した球面収差をなくすような球面収差を、所定の制御手段の制御に基づき第１の光ビームに発生させる球面収差発生手段とを設けるようにしたことにより、第１の光ビームの光ディスクにおける反射光に基づいてＳ／Ｎの高い受光出力を得ることができ、この受光出力に基づいてＳ／Ｎの高い再生出力を得ることや、精度の良い球面収差補正を行うことができる。かくするにつき高品質の再生出力を得ながら、より一層と精度良く球面収差補正を行い得る光ピックアップを実現できる。
さらに本発明によれば、光ディスク装置において、光ディスクに向けて発射された第１の光ビームの一部分から第２のビームを分割生成するビーム分割生成手段と、第１の光ビームの光ディスクにおける反射光に基づいて第１の光ビームのフォーカスエラー情報を生成すると共に、第２の光ビームの光ディスクにおける反射光に基づいて第２の光ビームのフォーカスエラー情報を生成するフォーカスエラー情報生成手段と、第１の光ビームのフォーカスエラー情報と第２の光ビームのフォーカスエラー情報とに基づいて、第１の光ビームに発生した球面収差を検出する球面収差検出手段と、第１の光ビームに、収差量を調整自在に球面収差を発生させる球面収差発生手段と、球面収差検出手段の検出結果に基づいて、第１の光ビームに発生した球面収差をなくすように、球面収差発生手段により第１の光ビームに球面収差を発生させる制御手段とを設けるようにしたことにより、第１の光ビームの光ディスクにおける反射光に基づいてＳ／Ｎの高い受光出力を得ることができ、この受光出力に基づいてＳ／Ｎの高い再生出力を得ることや、精度の良い球面収差補正を行うことができる。かくするにつき高品質の再生出力を得ながら、より一層と精度良く球面収差補正を行い得る光ディスク装置を実現できる。